(57)【要約】      （修正有）【課題】簡単な構成で容易にシール材を保持可能なシール材保持治具を提供する。【解決手段】シール材保持治具１は、シール材Ｓを保持する治具であって、シール材Ｓが挿入される挿入孔２０を形成する内面３０と、挿入孔２０の開口２０ｈが形成された外面４０と、を有する本体部材１０を備える。内面３０は、シール材Ｓを保持する保持部３０ａと、保持部３０ａよりも開口２０ｈ側に位置し、保持部３０ａから開口２０ｈに向かう第１の方向に沿って挿入孔２０が拡大するように傾斜する傾斜部３０ｂと、を含む。【選択図】図２
2015190574.tif 000002
【特許請求の範囲】
【請求項１】
シール材を保持するシール材保持治具であって、
前記シール材が挿入される挿入孔を形成する内面と、前記挿入孔の開口が形成された外面と、を有する本体部材を備え、
前記内面は、前記シール材を保持する保持部と、前記保持部よりも前記開口側に位置し、前記保持部から前記開口に向かう第１の方向に沿って前記挿入孔が拡大するように傾斜する傾斜部と、を含む、
ことを特徴とするシール材保持治具。
【請求項２】
前記傾斜部は、前記外面に至るまで延在して前記開口の縁部を形成している、
ことを特徴とする請求項１に記載のシール材保持治具。
【請求項３】
前記内面は、前記保持部よりも前記開口と反対側に位置し、前記第１の方向に交差する第２の方向に沿って窪む凹部をさらに有する、
ことを特徴とする請求項１又は２に記載のシール材保持治具。
【請求項４】
前記シール材は、弾性体からなるシール部と、前記シール部の少なくとも一面に設けられ被シール部に接着される接着面と、を含み、
前記保持部は、前記保持部と前記シール部との間の摩擦力が、前記接着面と前記被シール部との間の接着力よりも小さくなるように前記シール材を保持する、
ことを特徴とする請求項１〜３のいずれか一項に記載のシール材保持治具。
【発明の詳細な説明】
【技術分野】
【０００１】
本発明は、シール材を保持するシール材保持治具に関する。
【背景技術】
【０００２】
特許文献１には、シール貼付け装置が記載されている。このシール貼付け装置は、シール部材をワークに貼付ける際にシール部材を吸着保持する吸着ブロックと、吸着ブロックに接続された吸着源としての真空発生器と、を備えている。吸着ブロックにおけるシール部材の吸着面には、φ１ｍｍ程度の孔が多数設けられている。これにより、孔面積に応じた吸着力の確保を図ると共に、孔間においてシール部材を支持してシール部材の変形を防ぐ効果を得ることを図っている。
【先行技術文献】
【特許文献】
【０００３】
【特許文献１】特開２００１−２６０２２５号公報
【発明の概要】
【発明が解決しようとする課題】
【０００４】
一般に、シール材を被シール部材に貼付ける際には、シール材を所定の機構によって一旦保持することが考えられる。シール材を保持するための機構としては、例えば、上述したシール貼付け装置の吸着ブロックを用いることができる。しかしながら、この吸着ブロックは、シール材の保持に際して、真空発生器を用意して内部を真空引きする必要がある。したがって、シール材を保持するために大掛かり且つ複雑な機構が必要となる。
【０００５】
本発明は、このような事情に鑑みてなされたものであり、簡単な構成で容易にシール材を保持可能なシール材保持治具を提供することを課題とする。
【課題を解決するための手段】
【０００６】
上記課題を解決するために、本発明に係るシール材保持治具は、シール材を保持するシール材保持治具であって、シール材が挿入される挿入孔を形成する内面と、挿入孔の開口が形成された外面と、を有する本体部材を備え、内面は、シール材を保持する保持部と、保持部よりも開口側に位置し、保持部から開口に向かう第１の方向に沿って挿入孔が拡大するように傾斜する傾斜部と、を含む、ことを特徴とする。
【０００７】
このシール材保持治具においては、本体部材が、シール材が挿入される挿入孔を形成する内面と、挿入孔の開口が形成された外面と、を有している。そして、内面は、シール材を保持する保持部を含む。このため、このシール材保持治具によってシール材を保持する場合には、本体部材の外面に形成された開口から挿入孔にシール材を挿入することにより、本体部材の内面の保持部によってシール材を保持可能である。特に、本体部材の内面は、保持部よりも開口側に位置し、保持部から開口に向かう第１の方向に沿って挿入孔が拡大するように傾斜する傾斜部を有している。このため、シール材を挿入孔に挿入する際に、シール材が傾斜部によりガイドされるので、シール材を容易に挿入孔に挿入可能である。このように、このシール材保持治具によれば、簡単な構成で容易にシール材を保持可能である。
【０００８】
本発明に係るシール材保持治具においては、傾斜部は、外面に至るまで延在して開口の縁部を形成していてもよい。この場合、挿入孔の開口の縁部が傾斜部によって形成されるので、より容易にシール材を挿入孔に挿入して保持可能となる。
【０００９】
本発明に係るシール材保持治具においては、内面は、保持部よりも開口と反対側に位置し、第１の方向に交差する第２の方向に沿って窪む凹部をさらに有していてもよい。この場合、挿入孔に挿入されたシール材が保持部よりも奥側（開口と反対側）において凹部に陥入することにより、シール材が挿入孔から抜け落ちにくくなる。
【００１０】
本発明に係るシール材保持治具においては、シール材は、弾性体からなるシール部と、シール部の少なくとも一面に設けられ被シール部に接着される接着面と、を含み、保持部は、保持部とシール部との間の摩擦力が、接着面と被シール部との間の接着力よりも小さくなるようにシール材を保持してもよい。この場合、当該シール材保持治具により保持されたシール材を、その接着面を介して被シール部に貼り付ける際に、確実に被シール材側に移すことが可能となる。
【発明の効果】
【００１１】
本発明によれば、簡単な構成で容易にシール材を保持可能なシール材保持治具を提供することができる。
【図面の簡単な説明】
【００１２】
【図１】本実施形態に係るシール材保持治具の平面図である。
【図２】図１のII−II線に沿っての部分断面図である。
【図３】図１に示されたシール材保持治具によりシール材を保持した状態を示す部分断面図である。
【図４】図１に示されたシール材保持治具の変形例を示す部分断面図である。
【発明を実施するための形態】
【００１３】
以下、本発明に係るシール材保持治具の一実施形態について、図面を参照して詳細に説明する。なお、図面の説明において、同一の要素同士、或いは相当する要素同士には、互いに同一の符号を付し、重複する説明を省略する。
【００１４】
図１は、本実施形態に係るシール材保持治具の平面図である。図２は、図１のII−II線に沿っての部分断面図である。図３は、図１に示されたシール材保持治具によりシール材を保持した状態を示す部分断面図である。図１〜３に示されるシール材保持治具１は、シール材Ｓを保持する。保持対象となるシール材Ｓは、例えば、弾性体からなる断面矩形状のシール部Ｓ１と、シール部Ｓ１の一面に設けられた接着面Ｓ２と、を有する。
【００１５】
シール材保持治具１は、本体部材１０を有している。本体部材１０は、例えば、被シール部と同様の平面形状を成す。ここでは、本体部材１０の平面形状は、矩形環状の被シール部に合わせて矩形環状を呈している。なお、シール材保持治具１は、本体部材１０に加えて、例えば、シール材保持治具１を取り扱う際に用いる把持部材（不図示）等の別部材をさらに備えていてもよい。
【００１６】
本体部材１０は、シール材Ｓが挿入される挿入孔２０を形成する内面３０と、挿入孔２０の開口２０ｈが形成された外面４０と、を有している。内面３０は、例えば、挿入孔２０の底部を成す底面部３１と、底面部３１から開口２０ｈに向かって延び、挿入孔２０に挿入されたシール材Ｓを保持する一対の保持部３０ａと、保持部３０ａよりも挿入孔２０の開口２０ｈ側に位置し、保持部３０ａから開口２０ｈに向かう第１の方向（挿入孔２０の深さ方向）に沿って挿入孔２０が拡大するように傾斜する傾斜部３０ｂと、を含む。挿入孔２０（すなわち内面３０）は、平面視において、本体部材１０の形状に沿って矩形環状に延在している。外面４０は、一例として、本体部材１０の底面である。一対の保持部３０ａは、互いに略平行に第１の方向に沿って延在する。
【００１７】
したがって、第１の方向に略直交（交差）する第２の方向（挿入孔２０の幅方向）についての保持部３０ａにおける挿入孔２０の寸法Ｄａは、第１の方向に沿って略一定である。なお、挿入孔２０の幅方向とは、本体部材１０の外形に沿った挿入孔２０の延在方向と挿入孔２０の深さ方向とに略直交（交差）する方向である。また、保持部３０ａにおける挿入孔２０の寸法Ｄａは、保持部３０ａにおける第２の方向に沿って互いに対向する２点間の距離である。
【００１８】
本実施形態においては、挿入孔２０における第１の方向に沿う方向に延びる中心線に対して、互いに対称的に一対の傾斜部３０ｂが構成される。したがって、第２の方向についての傾斜部３０ｂにおける挿入孔２０の寸法Ｄｂは、第１の方向に沿って漸増している。
【００１９】
すなわち、挿入孔２０は、傾斜部３０ｂにおいて第１の方向に拡大するテーパ状となっている。なお、傾斜部３０ｂにおける挿入孔２０の寸法Ｄｂは、傾斜部３０ｂにおける第２の方向に沿って互いに対向する２点間の距離である。傾斜部３０ｂは、外面４０に至るまで延在している。したがって、傾斜部３０ｂは、挿入孔２０の開口２０ｈの縁部２０ｅを形成している。
【００２０】
ここでは、保持部３０ａと傾斜部３０ｂとは互いに連続している。より具体的には、保持部３０ａにおける開口２０ｈ側の端部は、傾斜部３０ｂにおける開口２０ｈと反対側の端部に接続されている。したがって、保持部３０ａにおける挿入孔２０の寸法Ｄａの最小値（及び最大値）と、傾斜部３０ｂにおける挿入孔２０の寸法Ｄｂの最小値とは一致している。一方、傾斜部３０ｂにおける挿入孔２０の寸法Ｄｂの最大値は、傾斜部３０ｂにおける挿入孔２０の寸法Ｄａの最小値（及び最大値）よりも大きい。
【００２１】
他方、保持部３０ａにおける挿入孔２０の寸法Ｄａの最小値は、シール材Ｓ（シール部Ｓ１）の寸法Ｄｓよりも小さい。また、傾斜部３０ｂにおける挿入孔２０の寸法Ｄｂの最大値は、シール材Ｓ（シール部Ｓ１）の寸法Ｄｓよりも大きい。また、挿入孔２０の深さ（第１の方向に沿っての寸法）は、一例として、シール材Ｓを挿入孔２０に挿入したときに接着面Ｓ２が挿入孔２０の外側に位置するように設定することができる。
【００２２】
開口２０ｈから挿入孔２０にシール材Ｓを挿入する際には、シール部Ｓ１が傾斜部３０ｂによってガイドされつつ傾斜部３０ｂの傾斜に応じて（挿入孔２０の狭まりに応じて）徐々に圧縮される。そして、シール材Ｓは、そのようにシール部Ｓ１が弾性変形した状態において、保持部３０ａとの間の摩擦力Ｆ１により保持部３０ａで保持される。したがって、保持部３０ａとシール部Ｓ１との間の摩擦力Ｆ１は、シール材Ｓの自重よりも大きい。
【００２３】
ここで、保持部３０ａ及びシール材Ｓは、保持部３０ａとシール部Ｓ１との間の摩擦力Ｆ１が、シール材Ｓの接着面Ｓ２と被シール部との間の接着力Ｆ２よりも小さくなるように構成されている。保持部３０ａとシール部Ｓ１との間の摩擦力Ｆ１は、シール部Ｓ１の弾性力や保持部３０ａ（及びシール部Ｓ１の表面）の摩擦係数等によって規定される。
【００２４】
したがって、保持部３０ａにおいて摩擦力Ｆ１が接着力Ｆ２よりも小さくなるようにシール材Ｓを保持するためには、例えば、保持部３０ａにおける挿入孔２０の寸法Ｄａを調整してシール部Ｓ１の弾性力を調整したり、保持部３０ａの表面状態（例えば表面粗さ等）を調整して保持部３０ａの摩擦係数を調整したりすることが考えられる。
【００２５】
以上のようなシール材保持治具１は、一例として、電池パックの製造工程において、電池パックの筐体の開口縁部（被シール部）にシール材Ｓを貼り付ける際に用いられる。その際には、例えば、本体部材１０の挿入孔２０にシール材Ｓを挿入してシール材保持治具１にシール材Ｓを保持した後に、シール材保持治具１ごとシール材Ｓを筐体の開口縁部上に配置する。
【００２６】
そして、シール材保持治具１を筐体の開口縁部に押し付けることにより、シール材Ｓの接着面Ｓ２を筐体の開口縁部に接着する。その後、シール材保持治具１を筐体の開口縁部から離間させることにより、シール材Ｓのみが筐体の開口縁部に残存し、シール材Ｓが筐体の開口縁部に貼り付けられる。
【００２７】
以上説明したように、本実施形態に係るシール材保持治具１においては、本体部材１０が、シール材Ｓが挿入される挿入孔２０を形成する内面３０と、挿入孔２０の開口２０ｈが形成された外面４０と、を有している。そして、内面３０は、シール材Ｓを保持する保持部３０ａを含む。このため、このシール材保持治具１によってシール材Ｓを保持する場合には、本体部材１０の外面４０に形成された開口２０ｈから挿入孔２０にシール材Ｓを挿入することにより、内面３０の保持部３０ａによってシール材Ｓを保持可能である。
【００２８】
特に、本体部材１０の内面３０は、保持部３０ａよりも開口２０ｈ側に位置し、保持部３０ａから開口２０ｈに向かう第１の方向に沿って挿入孔２０が拡大するように傾斜する傾斜部３０ｂを有している。このため、シール材Ｓを挿入孔２０に挿入する際に、シール材Ｓが傾斜部３０ｂによりガイドされるので、シール材Ｓを容易に挿入孔２０に挿入可能である。このように、このシール材保持治具１によれば、簡単な構成で容易にシール材Ｓを保持可能である。
【００２９】
また、本実施形態に係るシール材保持治具１においては、本体部材１０の内面３０の傾斜部３０ｂが、本体部材１０の外面４０に至るまで延在し、挿入孔２０の開口２０ｈの縁部２０ｅを形成している。このため、挿入孔２０にシール材Ｓを挿入する際に、開口２０ｈの縁部２０ｅからシール材Ｓが挿入孔２０ｂによってガイドされるので、より容易にシール材Ｓを挿入孔２０に挿入して保持可能である。
【００３０】
さらに、本実施形態に係るシール材保持治具１においては、本体部材１０の内面３０の保持部３０ａは、保持部３０ａとシール部Ｓ１との間の摩擦力Ｆ１が、接着面Ｓ２と被シール部との間の接着力Ｆ２よりも小さくなるようにシール材Ｓを保持している。このため、シール材保持治具１により保持されたシール材Ｓを、その接着面Ｓ２を介して被シール材に貼り付ける際に、確実に被シール材側に移すことが可能である。
【００３１】
以上の実施形態は、本発明に係るシール材保持治具の一実施形態を説明したものである。したがって、本発明に係るシール材保持治具は、上述したシール材保持治具１に限定されない。
【００３２】
例えば、シール材保持治具１の本体部材１０は、図４の（ａ）に示される態様とすることができる。図４の（ａ）に示されるように、ここでは、本体部材１０の内面３０は、保持部３０ａよりも開口２０ｈと反対側に位置し、第２の方向に沿って窪む一対の凹部３０ｃをさらに有している。凹部３０ｃは、保持部３０ａにおける開口２０ｈと反対側の端部から連続している。ここでは、断面形状が矩形状である凹部３０ｃを例示している。
【００３３】
このような凹部３０ｃによって、挿入孔２０は、保持部３０ａよりも奥側（開口２０ｈと反対側）において拡大されている。より具体的には、第２の方向についての凹部３０ｃにおける挿入孔２０の寸法Ｄｃの最大値（最小値）は、保持部３０ａにおける挿入孔２０の寸法Ｄａの最大値よりも大きい。このため、挿入孔２０に挿入されたシール材Ｓが保持部３０ａよりも奥側において凹部３０ｃに陥入することにより、シール材Ｓが挿入孔２０から抜け落ちにくくなる。
【００３４】
なお、凹部３０ｃにおける挿入孔２０の寸法Ｄｃと、傾斜部３０ｂにおける挿入孔２０の寸法Ｄｂとの関係は、任意に設定することができる。また、図４の（ａ）に示される態様においては、傾斜部３０ｂは、第１の方向について、開口２０ｈから挿入孔２０の中心位置よりも奥側（開口２０ｈと反対側）まで延在している。このため、シール材Ｓの挿入孔２０への挿入がより容易である。
【００３５】
また、シール材保持治具１の本体部材１０は、図４の（ｂ）に示される態様とすることができる。図４の（ｂ）に示されるように、ここでは、内面３０の傾斜部３０ｂが、挿入孔２０の開口２０ｈに至るまで延在していない。内面３０は、傾斜部３０ｂよりも開口２０ｈ側に位置し、開口２０ｈの縁部２０ｅを形成する一対の平坦部３０ｄをさらに有している。
【００３６】
平坦部３０ｄは、互いに対向しており、互いに略平行に第１の方向に沿って延在する。平坦部３０ｄの開口２０ｈと反対側の端部は、傾斜部３０ｂの開口２０ｈ側の端部から連続している。したがって、第２の方向についての平坦部３０ｄにおける挿入孔２０の寸法Ｄｄは、第１の方向に沿って略一定であり、傾斜部３０ｂにおける挿入孔２０の寸法Ｄｂの最大値と一致している。
【００３７】
このように、本体部材１０の内面３０においては、傾斜部３０ｂは、開口２０ｈまで延在していなくてもよい。すなわち、内面３０は、少なくとも、保持部３０ａよりも開口２０ｈ側に位置する傾斜部３０ｂを有していればよい。
【００３８】
また、上記実施形態においては、挿入孔２０における第１の方向に沿う方向に延びる中心線に対して対称的な一対の傾斜部３０ｂが構成される例について説明した。しかしながら、シール材Ｓを挿入孔２０に挿入する際にシール材Ｓをガイドする目的からは、必ずしも一対の傾斜部３０ｂが構成されていなくてもよい。すなわち、内面３０は、単一の傾斜部３０ｂを有していてもよい。
【００３９】
また、シール材保持治具１は、シール材Ｓの挿入孔２０への挿入が顕著に阻害されない範囲において（すなわち、シール材Ｓを挿入孔２０に容易に挿入可能である範囲において）、内面３０が第２の方向に突出する凸部を含む態様を排除するものではない。
【００４０】
また、シール材保持治具１においては、本体部材１０の挿入孔２０は、少なくとも部分的に本体部材１０を貫通する貫通孔であってもよい。すなわち、挿入孔２０は、本体部材１０における外面４０と反対側の面に別の開口をさらに有していてもよい。
【００４１】
さらに、上記実施形態においては、シール材保持治具１の本体部材１０の平面形状が矩形環状である場合について説明した。しかしながら、本体部材１０の平面形状は、被シール部の形状やシール材Ｓの貼付けの態様に応じて任意に設定することができる。本体部材１０の平面形状は、例えば、矩形以外の環状であってもよいし、環状でなくてもよい。さらには、本体部材１０の平面形状は、湾曲部分を有する形状であってもよい。
【符号の説明】
【００４２】
１…シール材保持治具、１０…本体部材、２０…挿入孔、２０ｈ…開口、２０ｅ…縁部、３０…内面、３０ａ…保持部、３０ｂ…傾斜部、３０ｃ…凹部、Ｓ…シール材、Ｓ１…シール部、Ｓ２…接着面。
【図１】
2015190574.tif 000003
【図２】
2015190574.tif 000004
【図３】
2015190574.tif 000005
【図４】
2015190574.tif 000006